(57)【要約】【課題】コピーされた媒体の束から、ページ抜けが発生した原稿を容易に特定することができるようにする。【解決手段】複数の原稿の画像を読み取り、画像データを発生させる画像読取部と、該画像読取部で発生させられた画像データに基づいて、原稿のページ抜けが発生したかどうかを判断するページ抜け判定部と、ページ抜けが発生した原稿に対応する媒体を、他の媒体と異なる排出位置に排出する排出位置制御部５０１とを有する。ページ抜けが発生した原稿に対応する媒体が他の媒体と異なる排出位置に排出されるので、操作者は、他の媒体と異なる排出位置に排出された媒体の状態を確認するだけで、原稿にページ抜けが発生したことを知ることができるともに、コピーされた媒体の束から、ページ抜けが発生した原稿を容易に特定することができる。【選択図】図１
2010245703.tif 000002
【特許請求の範囲】
【請求項１】
（ａ）複数の原稿の画像を読み取り、画像データを発生させる画像読取部と、
（ｂ）該画像読取部で発生させられた画像データに基づいて、原稿のページ抜けが発生したかどうかを判断するページ抜け判定部と、
（ｃ）ページ抜けが発生した原稿に対応する媒体を、他の媒体と異なる排出位置に排出する排出位置制御部とを有することを特徴とする画像形成装置。
【請求項２】
前記排出位置制御部は、ジョブセパレート機構によって、前記媒体を他の媒体と異なる排出位置に排出する請求項１に記載の画像形成装置。
【請求項３】
（ａ）前記画像読取部で発生させられた画像データを記録するための記憶部と、
（ｂ）前記画像データの所定の領域からページ番号を読み取り、該ページ番号に基づいてページ数を認識する文字認識部とを有するとともに、
（ｃ）前記ページ抜け判定部は、認識された前記ページ数が連続するかどうかによってページ抜けが発生したかどうかを判断する請求項１に記載の画像形成装置。
【請求項４】
前記排出位置制御部は、ページ抜けが発生した原稿の前後の原稿に対応する媒体を、他の媒体と異なる排出位置に排出する請求項１に記載の画像形成装置。
【請求項５】
前記排出位置制御部は、ページ抜けが発生した原稿の前の原稿に対応する媒体から、再びページ抜けが発生した原稿の後の原稿に対応する媒体までを、他の媒体と異なる排出位置に排出する請求項１に記載の画像形成装置。
【請求項６】
（ａ）原稿に付されたページ番号の位置を判定するページ番号位置判定部を有するとともに、
（ｂ）前記排出位置制御部は、ページ抜けが発生した原稿の前後の原稿に対応する媒体を、ページ番号の位置に対応する排出位置に排出する請求項１に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、複写機は、スキャナ部及びプリンタ部を備え、スキャナ部において、原稿の画像が読み取られて画像データが発生させられ、プリンタ部において、前記スキャナ部から送信された前記画像データに基づいて印刷が行われ、媒体としての用紙に原稿の画像が形成、すなわち、コピー（複写）されるようになっている。
【０００３】
そして、前記スキャナ部において、ページを表す番号、すなわち、ページ番号が付された複数の原稿の画像を読み取る際に、原稿の所定のページが欠落したり、重走したりして原稿のページ抜けが発生すると、操作パネルのディスプレイ（液晶表示部）上に、ページ抜けが発生したこと、ページ抜けが発生したページ番号等が表示されるようになっている（例えば、特許文献１参照。）。
【先行技術文献】
【特許文献】
【０００４】
【特許文献１】特開２００８−７２２８１号公報
【発明の概要】
【発明が解決しようとする課題】
【０００５】
しかしながら、前記従来の複写機においては、操作者が、コピーされた用紙の束から、ページ抜けが発生した原稿を特定するのが困難である。
【０００６】
本発明は、前記従来の複写機の問題点を解決して、コピーされた媒体の束から、ページ抜けが発生した原稿を容易に特定することができる画像形成装置を提供することを目的とする。
【課題を解決するための手段】
【０００７】
そのために、本発明の画像形成装置においては、複数の原稿の画像を読み取り、画像データを発生させる画像読取部と、該画像読取部で発生させられた画像データに基づいて、原稿のページ抜けが発生したかどうかを判断するページ抜け判定部と、ページ抜けが発生した原稿に対応する媒体を、他の媒体と異なる排出位置に排出する排出位置制御部とを有する。
【発明の効果】
【０００８】
本発明によれば、画像形成装置においては、複数の原稿の画像を読み取り、画像データを発生させる画像読取部と、該画像読取部で発生させられた画像データに基づいて、原稿のページ抜けが発生したかどうかを判断するページ抜け判定部と、ページ抜けが発生した原稿に対応する媒体を、他の媒体と異なる排出位置に排出する排出位置制御部とを有する。
【０００９】
この場合、ページ抜けが発生した原稿に対応する媒体が他の媒体と異なる排出位置に排出されるので、操作者は、他の媒体と異なる排出位置に排出された媒体の状態を確認するだけで、原稿にページ抜けが発生したことを知ることができるともに、コピーされた媒体の束から、ページ抜けが発生した原稿を容易に特定することができる。
【図面の簡単な説明】
【００１０】
【図１】本発明の第１の実施の形態における複写機の制御ブロック図である。
【図２】本発明の第１の実施の形態における複写機の斜視図である。
【図３】本発明の第１の実施の形態におけるプリンタ部を示す概念図である。
【図４】本発明の第１の実施の形態における媒体排出部を示す斜視図である。
【図５】本発明の第１の実施の形態におけるスキャナ部の概念図である。
【図６】本発明の第１の実施の形態における操作パネルの概念図である。
【図７】本発明の第１の実施の形態における複写機の動作を示すフローチャートである。
【図８】本発明の第１の実施の形態におけるページ数を認識する方法を示す第１の図である。
【図９】本発明の第１の実施の形態におけるページ数を認識する方法を示す第２の図である。
【図１０】本発明の第１の実施の形態におけるページ抜け判定部の動作を説明する図である。
【図１１】本発明の第１の実施の形態における用紙の排出位置を説明する図である。
【図１２】本発明の第１の実施の形態における用紙の排出状態を示す斜視図である。
【図１３】本発明の第１の実施の形態における用紙の別の排出状態を示す斜視図である。
【図１４】本発明第２の実施の形態における複写機の制御ブロック図である。
【図１５】本発明の第２の実施の形態における複写機の動作を示すフローチャートである。
【図１６】本発明の第２の実施の形態における原稿のペ−ジ番号の位置を説明する第１の図である。
【図１７】本発明の第２の実施の形態における原稿のペ−ジ番号の位置を説明する第２の図である。
【図１８】本発明の第２の実施の形態における用紙の排出位置を説明する図である。
【図１９】本発明の第２の実施の形態における用紙の排出状態を示す斜視図である。
【発明を実施するための形態】
【００１１】
以下、本発明の実施の形態について図面を参照しながら詳細に説明する。この場合、画像形成装置としての複写機（コピー機）について説明する。
【００１２】
図１は本発明の第１の実施の形態における複写機の制御ブロック図、図２は本発明の第１の実施の形態における複写機の斜視図である。
【００１３】
１０１は画像形成部としてのプリンタ部、２００は図示されない原稿の画像を読み取り、画像データを発生させる画像読取部としてのスキャナ部、３００は操作部としての操作パネルであり、前記プリンタ部１０１、スキャナ部２００及び操作パネル３００によって複写機が構成される。
【００１４】
前記プリンタ部１０１は、演算装置としてのＣＰＵ１０２、第１の記憶装置としてのＲＡＭ１０３、第２の記憶装置としてのＲＯＭ１０４、前記スキャナ部２００との接続を行うためのスキャナＩＦ１２０、操作パネル３００との接続を行うための操作パネルＩＦ１３０、印刷を行う印刷部５００、該印刷部５００のジョブセパレート機構を制御するための排出位置制御部５０１、及びスキャナ部２００から送信された画像データを記録するための第１の記憶部としての画像記憶部５０２を備える。
【００１５】
また、前記プリンタ部１０１は、画像記憶部５０２に記録された画像データの、後述される所定の領域からページ番号を読み取り、該ページ番号に基づいてページ数を認識する文字認識部１６１、該文字認識部１６１によって認識されたページ数を記録するための第２の記憶部としてのページ数記憶部１６２、及び該ページ数記憶部１６２に記録されたページ数に基づいてページ抜けを判定する判定部１６３を備える。
【００１６】
なお、前記文字認識部１６１、ページ数記憶部１６２及び判定部１６３によって、ページ抜けが発生したかどうかを判断するページ抜け判定部が構成される。また、前記ＣＰＵ１０２、ＲＡＭ１０３、ＲＯＭ１０４及びページ抜け判定部によって、プリンタ部１０１の全体の制御を行う制御部が構成される。
【００１７】
次に、前記プリンタ部１０１について説明する。
【００１８】
図３は本発明の第１の実施の形態におけるプリンタ部を示す概念図である。
【００１９】
図において、１０１はプリンタ部であり、該プリンタ部１０１は、ブラック、イエロー、マゼンタ及びシアンの各色の画像形成ユニット（ＩＤユニット）１３Ｂｋ、１３Ｙ、１３Ｍ、１３Ｃを備える。そして、該各画像形成ユニット１３Ｂｋ、１３Ｙ、１３Ｍ、１３Ｃは、各色の像担持体としての感光体ドラム３１Ｂｋ、３１Ｙ、３１Ｍ、３１Ｃを備える。
【００２０】
また、前記プリンタ部１０１は、媒体としての用紙１４を収容する媒体収容部としての用紙カセット２２、前記用紙１４を搬送するための搬送ローラ１５ａ〜１５ｈ、１５ｋ〜１５ｘ、前記用紙１４をプリンタ部１０１外の媒体排出部としてのスタッカ３７上に排出するための排出ローラ１５ｉ、１５ｊ、前記各画像形成ユニット１３Ｂｋ、１３Ｙ、１３Ｍ、１３Ｃに沿って矢印ｆ、ｒ方向に走行させられて用紙１４を搬送する、第１の転写部材としての、かつ、搬送部材としての転写ベルト１６、該転写ベルト１６を張設するローラ１８ａ、１８ｂ、前記転写ベルト１６を介して各感光体ドラム３１Ｂｋ、３１Ｙ、３１Ｍ、３１Ｃと対向させて配設され、前記転写ベルト１６の走行に伴って、各色の現像剤像としてのトナー像を用紙１４にそれぞれ重ねて転写し、カラーのトナー像を形成するための、第２の転写部材としての転写ローラ１７Ｂｋ、１７Ｙ、１７Ｍ、１７Ｃ等を備える。
【００２１】
さらに、プリンタ部１０１は、用紙１４を案内する可動式の媒体案内部材としての用紙走行ガイド１９ａ、１９ｂ、転写ベルト１６に付着した現像剤としてのトナーを除去するためのクリーニング部材としてのクリーニングブレード２０、該クリーニングブレード２０によって除去されたトナーを収容するための廃棄現像剤タンク２１、用紙１４上に形成されたトナー像を定着させる定着装置としての定着器２３、前記各感光体ドラム３１Ｂｋ、３１Ｙ、３１Ｍ、３１Ｃと対向させて配設された各色の露光装置としてのＬＥＤヘッド３３Ｂｋ、３３Ｙ、３３Ｍ、３３Ｃ、各印刷ジョブごとに、用紙１４を互いに異なる排出位置に排出するジョブセパレート機構３６等を備える。
【００２２】
前記定着器２３は、円筒状のアルミニウム製の芯金にシリコーンゴム製の耐熱弾性層を被覆し、更にその上にＰＦＡ（テトラフルオロエチレン−パーフルオロアルキルビニルエーテル共重合体）チューブを被覆することによって形成され、矢印ｉ方向に回転させられる第１のローラとしての発熱ローラ２５、該発熱ローラ２５の芯金内に配設され、ハロゲンランプから成る加熱体２７、アルミニウム製の芯金にシリコーンゴム製の耐熱弾性層を被覆し、更にその上にＰＦＡチューブを被覆することによって形成され、前記発熱ローラ２５との間に圧接部を形成し、矢印ｊ方向に回転させられる第２のローラとしての加圧ローラ２６、及び発熱ローラ２５の近傍において該発熱ローラ２５と非接触状態で配設され、前記発熱ローラ２５の表面温度を検出する表面温度検出部材としてのサーミスタ２８を備える。
【００２３】
次に、前記排出ローラ１５ｉ、１５ｊ及びジョブセパレート機構３６が配設された媒体排出部について説明する。
【００２４】
図４は本発明の第１の実施の形態における媒体排出部を示す斜視図である。
【００２５】
図において、１５ｉ、１５ｊは排出ローラであり、該排出ローラ１５ｊは、駆動部としての図示されないモータを駆動することによって矢印Ａ方向に回転させられ、前記排出ローラ１５ｉは、排出ローラ１５ｊの回転に伴って追従して回転させられる。
【００２６】
この場合、用紙１４をスタッカ３７（図３）に排出するに当たり、前記排出位置制御部５０１（図１）の指示に基づいて、前記ジョブセパレート機構３６を作動させ、排出ローラ１５ｉを選択的に軸方向（矢印Ｂ方向）に移動させると、用紙１４を複数の排出位置、本実施の形態においては、第１の排出位置としての通常セパレート位置及び第２の排出位置としての別セパレート位置に排出することができる。その結果、各印刷ジョブごとに、用紙１４を異なる排出位置に排出することができる。
【００２７】
次に、スキャナ部２００について説明する。
【００２８】
図５は本発明の第１の実施の形態におけるスキャナ部の概念図である。
【００２９】
図に示されるように、スキャナ部２００は、原稿送り機構部５０及び読取り機構部７０を備え、前記原稿送り機構部５０は、複数の原稿から成る原稿束を積載するための原稿積載部５１、該原稿積載部５１の下方に配設され、読み取りが終了した原稿を積載するための原稿排出部５２、及び前記原稿積載部５１上の原稿を取り込み、搬送する搬送ローラ５３を備える。そして、搬送路６１における搬送ローラ５３より下流側に、フィードローラ及びリタードローラのローラ対５４が配設され、該ローラ対５４は、原稿を一枚ずつ捌く捌き機構を構成する。
【００３０】
また、前記搬送路６１において、前記ローラ対５４より下流側に、プレレジローラ５５、レジローラ５６、プラテンローラ５７、アウトローラ５８及び排出ローラ５９の各搬送ローラが配設される。なお、前記プレレジローラ５５は、一枚ずつ捌かれた原稿を搬送し、原稿のループ形成を行い、レジローラ５６は、回転を一旦停止した後、所定のタイミングで回転を再開して原稿を搬送し、レジストレーション調整を行う。また、プラテンローラ５７は、読取り機構部７０において原稿の読み取りが行われている原稿の搬送を補助し、アウトローラ５８は、読取り機構部７０において画像が読み取られた原稿を更に下流に搬送し、排出ローラ５９は、原稿を排出部５２に排出する。
【００３１】
なお、前記読取り機構部７０は、筐体を形成する装置フレーム７１を備え、該装置フレーム７１によって原稿送り機構部５０が開閉自在に支持される。
【００３２】
前記読取り機構部７０は、静止させた状態で原稿をセットするための第１プラテンガラス７２Ａ、透光性材料によって形成され、原稿送り機構部５０によって搬送される原稿を読み取るための開口部を備えた第２プラテンガラス７２Ｂ、前記第１プラテンガラス７２Ａ上に配設され、第１プラテンガラス７２Ａの全体にわたってスキャンを行い、原稿の画像を読み取るためのフルレートキャリッジ７３、前記第２プラテンガラス７２Ｂ上を通過する原稿の画像を読み取るためのフルレートキャリッジ７４、レンズ７８、各フルレートキャリッジ７３、７４によって得られた光をレンズ７８に供給するハーフレートキャリッジ７５、７６、及び結像部としてのＣＣＤ（Ｃｈａｒｇｅ  Ｃｏｕｐｌｅｄ  Ｄｅｖｉｃｅ）イメージセンサ７９を備える。なお、前記レンズ７８は、各フルレートキャリッジ７３、７４で得られた光を光学的に縮小し、前記ＣＣＤイメージセンサ７９は、レンズ７８によって形成された光学像を結像し、光電変換を行う。
【００３３】
また、前記読取り機構部７０は制御・画像処理ユニット８０を備え、該制御・画像処理ユニット８０は、ＣＣＤイメージセンサ７９によって入力された原稿の画像の画像データに所定の処理を施し、スキャナＩＦ１２０を介して画像データをプリンタ部１０１に送信するとともに、画像記憶部５０２に記録する。
【００３４】
図６は本発明の第１の実施の形態における操作パネルの概念図である。
【００３５】
図に示されるように、操作パネル３００は、表示部としてのディスプレイ３０１、プリンタ部１０１におけるコピー枚数（印刷枚数）を入力するための入力要素としてのテンキー３０２、用紙１４（図３）のサイズ及び搬送方向を選択するための媒体選択要素としての用紙選択ボタン３０５、コピーの開始を指示するための開始要素としての開始（スタート）ボタン３０３等を備える。
【００３６】
次に、原稿積載部５１に積載された複数の原稿の画像を読み取る際の複写機の動作について説明する。
【００３７】
図７は本発明の第１の実施の形態における複写機の動作を示すフローチャート、図８は本発明の第１の実施の形態におけるページ数を認識する方法を示す第１の図、図９は本発明の第１の実施の形態におけるページ数を認識する方法を示す第２の図、図１０は本発明の第１の実施の形態におけるページ抜け判定部の動作を説明する図、図１１は本発明の第１の実施の形態における用紙の排出位置を説明する図、図１２は本発明の第１の実施の形態における用紙の排出状態を示す斜視図である。
【００３８】
まず、ＣＰＵ１０２は、操作者が、テンキー３０２（図６）を操作してコピー枚数を入力し、用紙選択ボタン３０５を押下して用紙サイズを選択すると、コピー枚数、用紙１４のサイズ等についての設定情報をＲＡＭ１０３に記録し、コピーの開始を受け付ける。
【００３９】
続いて、操作者が開始ボタン３０３を押下すると、原稿積載部５１に積載された複数の原稿は、搬送ローラ５３によって搬送路６１に取り込まれ、第２プラテンガラス７２Ｂ上を通過し、そのとき、読取り機構部７０によって画像が読み取られる。そして、読み取られた画像の画像データはプリンタ部１０１に送信され、該プリンタ部１０１はスキャナＩＦ１２０を介して画像データを受信し、画像記憶部５０２に記録する。
【００４０】
ところで、原稿のページ抜けが発生した場合、操作者が、コピーされた用紙１４の束から、ページ抜けが発生した原稿を特定するのは困難である。
【００４１】
そこで、本実施の形態においては、画像データに基づいて、ページ抜けが発生した原稿を特定することができるようになっている。
【００４２】
そのために、ページ抜け判定部において、文字認識部１６１は、画像記憶部５０２に記録された画像データに基づいてページ数を認識し、ページ数記憶部１６２に記録する。
【００４３】
通常、原稿のページ番号は、原稿の外周縁の近傍、図８に示されるように、例えば、左上、上、右上、左、右、左下、下及び右下の各領域のうちのいずれか一つの領域、例えば、図９に示されるように右下の領域に付されていることが多い。
【００４４】
したがって、前記文字認識部１６１は、前記画像記憶部５０２から前記各領域の画像データを抽出し、画像データ中のページ番号に基づいてページ数を認識し、認識したページ数をページ数記憶部１６２に記録する。続いて、印刷部５００は、画像形成処理を行い、前記画像記憶部５０２に記録された画像データを読み出し、印刷を行う。
【００４５】
次に、前記ページ抜け判定部の判定部１６３は、前記ページ数記憶部１６２に記録されたページ数に基づいてページ抜けが発生したかどうかを判断する。
【００４６】
すなわち、判定部１６３は、まず、直後に排出される用紙１４に印刷されるページ数と、その後に排出される用紙１４に印刷されるページ数とが連続するかどうかを判断し、直後に排出される用紙１４に印刷されるページ数と、その後に排出される用紙１４に印刷されるページ数とが連続する場合、ページ抜けは発生していないと判断し、直後に排出される用紙１４に印刷されるページ数と、その後に排出される用紙１４に印刷されるページ数とが連続しない場合、ページ抜けが発生したと判断する。
【００４７】
続いて、判定部１６３は、直後に排出される用紙１４に印刷されるページ数と、その前に排出された用紙１４に印刷されるページ数とが連続するかどうかを判断し、直後に排出される用紙１４に印刷されるページ数と、その前に排出された用紙１４に印刷されるページ数とが連続する場合、ページ抜けは発生していないと判断し、直後に排出される用紙１４に印刷されるページ数と、その前に排出された用紙１４に印刷されるページ数とが連続しない場合、ページ抜けが発生したと判断する。
【００４８】
例えば、図１０に示されるように、認識されたページ数が１、２、３、４、５、７、８、９、１０、１１、１２であるときに、直後に排出される用紙１４に印刷されるページ数が５であり、その前に排出された用紙１４に印刷されるページ数が４である場合、判定部１６３は、ページ数の差分が１であり、各ページ数が連続するので、ページ抜けは発生していないと判断し、直後に排出される用紙１４に印刷されるページ数が５であり、その後に排出される用紙１４に印刷されるページ数が７である場合、判定部１６３は、ページ数の差分が２であり、各ページ数が連続しないので、ページ抜けが発生したと判断する。すなわち、ページ数が６の原稿にページ抜けが発生したと判断される。
【００４９】
このようにして、ページ抜けが発生したかどうかが判断されると、排出位置制御部５０１は、ジョブセパレート機構３６を作動させ、排出ローラ１５ｉを移動させ、用紙１４を選択された排出位置に排出する。
【００５０】
すなわち、図１１及び１２に示されるように、前記排出位置制御部５０１は、ページ抜けが発生していない場合、用紙１４をスタッカ３７の第１の排出位置である通常セパレート位置Ｃに、ページ抜けが発生した場合、所定の用紙１４をスタッカ３７の第２の排出位置である別セパレート位置Ｄに、所定の量だけ用紙１４の幅方向にずらして排出する。
【００５１】
すなわち、ページ抜けが発生した原稿の前後の、例えば、ページ数が５及び７の原稿に対応する用紙１４は別セパレート位置Ｄに、他のページ数が４、８、９、１０、１１、１２に対応する用紙１４は通常セパレート位置Ｃに排出される。
【００５２】
そして、最後の用紙１４が排出されると、処理を終了する。
【００５３】
このように、本実施の形態においては、ページ抜けが発生した原稿の前後の原稿に対応する用紙１４が、他の原稿に対応する用紙１４と異なる排出位置に排出されるので、操作者は、コピーが終了したときに、用紙１４の状態、本実施の形態においては、用紙１４の束の一部がずれていることを確認するだけで、原稿にページ抜けが発生したことを知ることができるとともに、別セパレート位置Ｄに排出された用紙１４だけを調べることによって、コピーされた用紙１４の束から、ページ抜けが発生した原稿を容易に特定することができる。
【００５４】
なお、ページ抜けが発生した原稿について再びコピーをし、先にコピーされた用紙１４の束の該当箇所に、ページ抜けが発生した原稿に対応する用紙１４を差し込む動作も簡素化することができる。
【００５５】
次にフローチャートについて説明する。
ステップＳ１  コピーの開始を受け付ける。
ステップＳ２  原稿を読み取る。
ステップＳ３  ページ数を認識する。
ステップＳ４  画像形成処理を行う。
ステップＳ５  ページ抜けが発生したかどうかを判断する。ページ抜けが発生した場合はステップＳ６に、ページ抜けが発生していない場合はステップＳ７に進む。
ステップＳ６  別セパレート位置Ｄに排出する。
ステップＳ７  通常セパレート位置Ｃに排出する。
ステップＳ８  最後の用紙１４が排出されたかどうかを判断する。最後の用紙１４が排出された場合は処理を終了し、最後の用紙１４が排出されていない場合はステップＳ４に戻る。
【００５６】
なお、本実施の形態においては、ページ数が連続しない場合、ページ抜けが発生したと判断され、ページ抜けが発生した原稿の前後の原稿に対応する用紙１４だけが、別セパレート位置Ｄに排出されるようになっているが、ページ数が連続しない場合、その後、ページ抜けが発生したと判断し、その間の用紙１４を別セパレ−ト位置Ｄに排出し続けることができる。
【００５７】
図１３は本発明の第１の実施の形態における用紙の別の排出状態を示す斜視図である。
【００５８】
この場合、最初にページ抜けが発生した原稿の前の原稿に対応する用紙１４から、再びページ抜けが発生した原稿の後の原稿に対応する用紙１４までが別セパレート位置Ｄに排出される。
【００５９】
すなわち、図１０と同様に、認識されたページ数が１、２、３、４、５、７、８、９、１０、１１、１２であるときに、ページ数が５、７、８、９、１０、１１、１２の原稿に対応する用紙１４が別セパレート位置Ｄに排出される。
【００６０】
次に、本発明の第２の実施の形態について説明する。なお、第１の実施の形態と同じ構造を有するものについては、同じ符号を付与し、同じ構造を有することによる発明の効果については同実施の効果を援用する。
【００６１】
図１４は本発明第２の実施の形態における複写機の制御ブロック図、図１５は本発明の第２の実施の形態における複写機の動作を示すフローチャート、図１６は本発明第２の実施の形態における原稿のペ−ジ番号の位置を説明する第１の図、図１７は本発明第２の実施の形態における原稿のペ−ジ番号の位置を説明する第２の図、図１８は本発明の第２の実施の形態における用紙の排出位置を説明する図、図１９は本発明の第２の実施の形態における用紙の排出状態を示す斜視図である。
【００６２】
図１４において、１８０は、原稿に付されたページ番号の位置を判定するページ番号位置判定部である。
【００６３】
また、文字認識部１６１、第２の記憶部としてのページ数記憶部１６２、判定部１６３及びページ番号位置判定部１８０によって、ページ抜けを判定するページ抜け判定部が構成される。そして、演算装置としての前記ＣＰＵ１０２、第１の記憶装置としてのＲＡＭ１０３、第２の記憶装置としてのＲＯＭ１０４及び前記ページ抜け判定部によって、プリンタ部１０１の全体の制御を行う制御部が構成される。
【００６４】
この場合、ＣＰＵ１０２は、操作者が、入力要素としての前記テンキー３０２（図６）を操作してコピー枚数を入力し、媒体選択要素としての前記用紙選択ボタン３０５を押下して用紙サイズを選択すると、コピー枚数、媒体としての用紙１４のサイズ等についての設定情報をＲＡＭ１０３に記録し、コピーの開始を受け付ける。
【００６５】
続いて、操作者が開始要素としての開始ボタン３０３を押下すると、原稿積載部５１（図５）に積載された複数の原稿は、搬送ローラ５３によって搬送路６１に取り込まれ、第２プラテンガラス７２Ｂ上を通過し、そのとき、読取り機構部７０によって画像が読み取られる。そして、読み取られた画像の画像データはプリンタ部１０１に送信され、該プリンタ部１０１はスキャナＩＦ１２０を介して画像データを受信し、第１の記憶部としての画像記憶部５０２に記録する。
【００６６】
プリンタ部１０１において、ページ抜け判定部の文字認識部１６１は、画像記憶部５０２に記録された画像データを読み出し、前記各領域の画像データを抽出し、ページ数を認識し、認識したページ数をページ数記憶部１６２に記録する。
【００６７】
続いて、印刷部５００は、画像形成処理を行い、画像記憶部５０２に記録された画像データを読み出し、印刷を行う。
【００６８】
次に、ページ抜け判定部の判定部１６３は、前記ページ数記憶部１６２に記録されたページ数に基づいてページ抜けが発生したかどうかを判断する。
【００６９】
すなわち、判定部１６３は、まず、直後に排出される用紙１４に印刷されるページ数と、その後に排出される用紙１４に印刷されるページ数とが連続するかどうかを判断し、直後に排出される用紙１４に印刷されるページ数と、その後に排出される用紙１４に印刷されるページ数とが連続する場合、ページ抜けは発生していないと判断し、直後に排出される用紙１４に印刷されるページ数と、その後に排出される用紙１４に印刷されるページ数とが連続しない場合、ページ抜けが発生したと判断する。
【００７０】
続いて、判定部１６３は、直後に排出される用紙１４に印刷されるページ数と、その前に排出された用紙１４に印刷されるページ数とが連続するかどうかを判断し、直後に排出される用紙１４に印刷されるページ数と、その前に排出された用紙１４に印刷されるページ数とが連続する場合、ページ抜けは発生していないと判断し、直後に排出される用紙１４に印刷されるページ数と、その前に排出された用紙１４に印刷されるページ数とが連続しない場合、ページ抜けが発生したと判断する。
【００７１】
そして、ページ抜けが発生したと判断されると、ページ番号位置判定部１８０は原稿に付されたページ番号の位置を判定する。すなわち、ページ番号位置判定部１８０は、画像記憶部５０２に記録された画像データに基づいてページ数を認識し、ページ番号の位置が原稿の外周縁の右側（右上又は右下）及び左側（左上又は左下）のどちらであるか、すなわち、図１６に示されるように右側であるか、又は  図１７に示されるように左側であるか判定する。
【００７２】
このようにして、判定部１６３において、ページ抜けが発生したかどうかが判断され、ページ番号位置判定部１８０において、ページ番号の位置が判定されると、排出位置制御部５０１は、ジョブセパレート機構３６（図３）を作動させ、排出ローラ１５ｉを移動させ、用紙１４を選択された排出位置に排出する。
【００７３】
すなわち、排出位置制御部５０１は、ページ抜けが発生していない場合、図１８に示されるように、用紙１４を排出部としてのスタッカ３７の第１の排出位置である通常セパレート位置Ｃに、ページ抜けが発生した場合であり、ページ番号の位置が原稿の外周縁の右側であるときに、用紙１４をスタッカ３７の第２の排出位置である別セパレート位置Ｄに、ページ抜けが発生した場合であり、ページ番号の位置が原稿の外周縁の左側であるときに、用紙１４をスタッカ３７の第３の排出位置である別セパレート位置Ｅに排出する。
【００７４】
したがって、例えば、ページ番号の位置が原稿の外周縁の左側であり、認識されたページ数が１、２、３、４、５、７、８、９、１０、１１、１２である場合、図１９に示されるように、ページ抜けが発生した原稿の前後の５、７ページの原稿に対応する用紙１４が、別セパレート位置Ｅに排出され、ページ番号の位置が原稿の外周縁の右側であり、認識されたページ数が１、２、３、４、５、７、８、９、１０、１１、１２である場合、ページ抜けが発生した原稿の前後の５、７ページの原稿に対応する用紙１４が、別セパレート位置Ｄに排出され、他の用紙１４が通常セパレ−ト位置Ｃに排出される。
【００７５】
このように、本実施の形態においては、原稿にページ抜けが発生した場合、ページ抜けが発生した原稿の前後の原稿に対応する用紙１４が、ページ番号が付された側にずらして別セパレート位置Ｄ又はＥに排出されるので、操作者は、コピーが終了したときに、用紙１４の状態、本実施の形態においては、用紙１４の束の一部がずれていることを確認するだけで、原稿にページ抜けが発生したことを知ることができるとともに、別セパレート位置Ｄ又はＥに排出された用紙１４だけを調べることによって、コピーされた用紙１４の束から、ページ抜けが発生した原稿を容易に特定することができる。
【００７６】
なお、ページ抜けが発生した原稿について再びコピーをし、先にコピーされた用紙１４の束の該当箇所に、ページ抜けが発生した原稿に対応する用紙１４を差し込む動作も簡素化することができる。
【００７７】
次にフローチャートについて説明する。
ステップＳ１１  コピーの開始を受け付ける。
ステップＳ１２  原稿を読み取る。
ステップＳ１３  ページ数を認識する。
ステップＳ１４  画像形成処理を行う。
ステップＳ１５  ページ抜けが発生したかどうかを判断する。ページ抜けが発生した場合はステップＳ１６に、ページ抜けが発生していない場合はステップＳ１７に進む。
ステップＳ１６  ページ番号が右側の領域に付されているかどうかを判断する。ページ番号が右側の領域に付されている場合はステップＳ１８に、ページ番号が右側の領域に付されていない場合はステップＳ１９に進む。
ステップＳ１７  通常セパレート位置Ｃに排出する。
ステップＳ１８  別セパレート位置Ｄに排出する。
ステップＳ１９  別セパレート位置Ｅに排出する。
ステップＳ２０  最後の用紙１４が排出されたかどうかを判断する。最後の用紙１４が排出された場合は処理を終了し、最後の用紙１４が排出されていない場合はステップＳ１４に戻る。
【００７８】
前記各実施の形態においては、画像形成装置としての複写機に適用した例について説明しているが、本発明を、プリンタ、ファクシミリ装置、複合機等に適用することもできる。
【００７９】
なお、本発明は前記各実施の形態に限定されるものではなく、本発明の趣旨に基づいて種々変形させることが可能であり、それらを本発明の範囲から排除するものではない。
【符号の説明】
【００８０】
１４    用紙
１０１    プリンタ部
１６１    文字認識部
１６２    ページ数記憶部
１６３    判定部
１８０    ページ番号位置判定部
２００    スキャナ部
３００    操作パネル
５０１    排出位置制御部
Ｃ    通常セパレ−ト位置
Ｄ、Ｅ    別セパレ−ト位置
【図１】
2010245703.tif 000003
【図２】
2010245703.tif 000004
【図３】
2010245703.tif 000005
【図４】
2010245703.tif 000006
【図５】
2010245703.tif 000007
【図６】
2010245703.tif 000008
【図７】
2010245703.tif 000009
【図８】
2010245703.tif 000010
【図９】
2010245703.tif 000011
【図１０】
2010245703.tif 000012
【図１１】
2010245703.tif 000013
【図１２】
2010245703.tif 000014
【図１３】
2010245703.tif 000015
【図１４】
2010245703.tif 000016
【図１５】
2010245703.tif 000017
【図１６】
2010245703.tif 000018
【図１７】
2010245703.tif 000019
【図１８】
2010245703.tif 000020
【図１９】
2010245703.tif 000021